【事件の表示】
　特許第３０６８８１２号「線状導光体の保持装置」の請求項１ないし６に係る特許に対する特許異議の申立てについて、次のとおり決定する。
【結　論】
　訂正を認める。
　特許第３０６８８１２号の請求項１ないし６に係る特許を維持する。
【理　由】
１．手続きの経緯
　特許第３０６８８１２号の請求項１乃至６に係る発明は、平成１０年７月２７日に出願されたものであって、平成１２年５月１９日にその特許の設定の登録がなされ、その後、パイロットプレシジョン株式会社より特許異議の申立がなされ、取消理由通知がなされ、その指定期間内の平成１３年６月１８日付けで訂正請求がなされたものである。
　　
２．訂正の適否について
2．1　訂正の内容
　
（１）訂正事項ａ
　【特許請求の範囲】の
「【請求項１】複数に分割された挟持部を有し、・・・ことを特徴とする線状導光体の保持装置。」を、
「【請求項１】複数に分割されて側面に切欠部を形成した挟持部を有し、・・・ことを特徴とする線状導光体の保持装置。」と訂正する。
　　
（２）訂正事項ｂ
　特許明細書の段落番号【０００８】記載の
「・・・分割された挟持部・・・」を、
「・・・分割されて側面に切欠部を形成した挟持部・・・」
と訂正する。
　　
2．2　訂正の目的の適否、新規事項の有無及び拡張・変更の存否
　訂正事項ａは、請求項１に記載された「複数に分割された挟持部」を、より下位概念である「複数に分割されて側面に切欠部を形成した挟持部」と限定するものであり、特許請求の範囲の減縮に該当し、訂正事項ｂは、上述した特許請求の範囲の訂正に伴って、それとの整合を図るために発明の詳細な説明を訂正するものであり、明りょうでない記載の釈明に該当する。そして、訂正事項ａ及びｂは、何れも特許明細書の段落【００３０】及び図１２、図１３の記載に基づくもので、願書に添付した明細書及び図面に記載した事項の範囲内のものである。また、訂正事項ａ及びｂは、何れも実質上特許請求の範囲を拡張し、又は変更するものではない。
　　　
2．3　結論
　以上のとおりであるから、本件訂正は、特許法第１２０条の４第２項及び同条第３項で準用する第１２６条第２項及び第３項の規定に適合するので、当該訂正を認める。
　　
３．特許異議申立てについて
3．1　本件発明
　本件発明第３０６８８１２号の請求項１〜６に係る発明は、訂正された特許明細書の記載からみて、その特許請求の範囲の請求項１〜６に記載された次のとおりのものである。
　　　
「【請求項１】　複数に分割されて側面に切欠部を形成した挟持部を有し、その挟持部の端部外周に傾斜部が形成された管状のチャックと、そのチャックの挟持部に嵌合することにより、挟持部を径方向内側に押圧する管状体と、前記チャックの挟持部と管状体が嵌合する方向に常に弾性付勢する弾性体を備え、前記チャックの挟持部の間に光ファイバー素線を通し、前記弾性体を弾性変形させ、チャックに対して管状体を相対的に移動してチャックの前記傾斜部を管状体の開口端に当接することにより、挟持部を径方向内側に押圧して光ファイバー素線を弾性的に挟持して、その挟持状態を前記弾性体によって維持する構成になっていることを特徴とする線状導光体の保持装置。
　　【請求項２】　請求項１記載において、前記チャックの端部に切込み溝を形成することにより複数の挟持部が形成され、その挟持部の外周部に傾斜部が形成されていることを特徴とする線状導光体の保持装置。
　　【請求項３】　請求項１記載において、前記チャックの挟持部と反対側の端部を、前記光ファイバー素線が挿通する透孔を形成した管状のファイバーガイド内に圧入・固定し、ファイバーガイド内に前記管状体と弾性体を順次挿入して、押圧体をファイバーガイド内に圧入することにより、前記弾性体を弾性変形せしめて、チャックの挟持部を管状体内に嵌合することを特徴とする線状導光体の保持装置。
　　【請求項４】　請求項１記載において、前記管状体が、前記光ファイバー素線が挿通する透孔を形成した管状のファイバーガイドと一体的に設けられ、そのファイバーガイド内にチャックと弾性体が順次挿入され、押圧体をファイバーガイド内に圧入することにより、前記弾性体を弾性変形せ
しめて、チャックの挟持部を管状体内に嵌合することを特徴とする線状導光体の保持装置。
　　【請求項５】　請求項３または４記載において、前記弾性体がコイルばねからなり、所定の長さを有して弾性体の内側に挿入される押込部が前記押圧体に設けられていることを特徴とする線状導光体の保持装置。
　　【請求項６】　請求項１記載において、前記弾性体、管状体ならびにチャックを、前記光ファイバー素線が挿通する透孔を形成した管状のファイバーガイド内に順次挿入して、押圧体をファイバーガイド内に圧入することにより、前記弾性体を弾性変形せしめて、チャックの挟持部を管状体内に嵌合することを特徴とする線状導光体の保持装置。」
　　
3．2　特許異議申立人の主張の概要
　特許異議申立人パイロットプレシジョン株式会社は、甲第１号証として実願平１−４４５９号（実開平２−９８３１３号）のマイクロフィルム（以下、刊行物１という。）、甲第２号証として特開昭５１−１１０３３８号公報（以下、刊行物２という。）、甲第３号証として特開昭６２−８３７０９号公報（以下、刊行物３という。）、甲第４号証として特開平１０−３１１２９号公報（以下、刊行物４という。）及び甲第５号証として実願昭６０−９６７６９号（実開昭６２−６７０５号）のマイクロフィルム（以下、刊行物５という。）を提示して、本件訂正前の請求項１及び２に係る発明は、刊行物１又は２に記載された発明であるから、特許法第２９条第１項の規定に違反して特許されたものである、或いは、本件訂正前の請求項１〜６に係る発明は、刊行物１、３〜５に記載された発明から当業者が容易に発明をすることができたものであるから、特許法第２９条第２項の規定に違反して特許されたものである、と各主張した。
　　　
3．3　刊行物１〜５の記載内容
　特許異議申立人パイロットプレシジョン株式会社の提示した刊行物１（実願平１−４４５９号（実開平２−９８３１３号）のマイクロフィルム）には、光ファイバ保持装置に関する考案が記載され、
「中心軸に細孔ａ、径方向にすり割りｂ、更に外周にテーパｃの設けられたコレットチャック１と、該コレットチャック１の外周に固定されたナット２，３及び押えばね５によって押圧された内周にテーパの設けられた押えリング４とによって光ファイバ芯線８を保持、固定し、・・・てなる光ファイバ保持装置。」（実用新案登録請求の範囲）と記載されており、その実施例には、同考案に係る光ファイバ保持装置が記載されている（第３頁第１５行〜第４頁第１８行，第１、２図）。
　　　
　同刊行物２（特開昭５１−１１０３３８号公報）には、光伝送用ファイバーの接続装置に関する発明が記載され、その実施例には、被接続ファイバーをつかむチャック部（３）、チャック部を締めつけるための締めつけリング（４）、締めつけリングを締めつけ方向に押す作用をするスプリング（５）からなる光伝送用ファイバーの接続装置が記載されている（第１頁右下欄第１７行〜第２頁右上欄第１２行，第２〜４図）。
　　
　同刊行物３（特開昭６２−８３７０９号公報）には、光ケーブル用端子に関する発明が記載され、
「（１）光ファイバーを保持する支持指、支持指と光ケーブルを固定する固定リング、支持指に弾性加圧力を与える加圧リングを備えた光ケーブル用端子。
　（２）支持指を固定リング側を太く、先端を細くしたことを特徴とする特許請求の範囲第一項記載の光ケーブル用端子。
　・・・・・・・・・・・・・・・・・・・・・・・・・・・・・・・・」（特許請求の範囲）と記載されており、その実施例には、同発明に係る光ケーブル用端子が記載されている（第２頁左下欄第１０行〜第４頁右上欄第８行，第２〜７図）。
　　　
　同刊行物４（特開平１０−３１１２９号公報）には、線状導光体の保持装置に関する発明が記載され、
「【請求項１】中心部に光ファイバー素線が挿通する中空部を有し、外周部に複数に分割されて周方向に配置された拡張−挟持部と、その各拡張−挟持部を連結する連結部とを設けた管状のチャックと、そのチャックの前記拡張−挟持部に嵌合することより、径方向外側に弾性的に拡張する弾性管状体を備え、前記チャックの中空部に光ファイバー素線を通し、そのチャックの拡張−挟持部に弾性管状体を嵌合して弾性管状体を径方向外側に拡張することより、弾性管状体の復元力で各拡張−挟持部を径方向内側に押圧して光ファイバー素線を弾性的に押圧挟持したことを特徴とする線状導光体の保持装置。」（【特許請求の範囲】）と記載されており、その実施例には、同発明に係る線状導光体の保持装置が記載されている（段落【００１３】〜【００３２】，図１〜１０）。　
　　
　同刊行物５（実願昭６０−９６７６９号（実開昭６２−６７０５号）のマイクロフィルム）には、光ファイバコネクタに関する考案が記載され、
「外周面に鍔部を有し軸心に光ファイバ挿通孔とテーパー孔及び係止孔部を連設してなるフェルールと、長手方向にスリットを所定間隔毎に複数条設け先端部にテーパー面を形成し軸心に光ファイバを掴持する掴持孔を穿設してなるコレットチャックと、軸心に光ファイバ挿通孔と光ファイバ心線挿通孔とを連通穿設し、前記フェルールのテーパー孔内に挿入のコレットチャックを先端方向に押込み軸心に穿設の掴持孔径を縮小させて光ファイバを掴持させた状態でフェルールの係止孔部に係着させるコレット押し部材とからなることを特徴とする光ファイバコネクタ。」（実用新案登録請求の範囲）と記載されており、その実施例には、同考案に係る光ファイバコネクタが記載されている（第３頁第１３行〜第５頁第１１行，第１〜４図）。
　　　
3．4　当審の判断
　本件請求項１〜６に係る発明（以下、本件発明１〜６という。）と刊行物１〜５に記載された発明とを対比すると、刊行物１〜５には、本件発明１〜６の構成である、「線状導光体の保持装置に備えられたチャックが、複数に分割されて側面に切欠部を形成した挟持部を有する点」について記載されていないし、示唆されていない。
　　　
　すなわち、刊行物１記載の「コレットチャック」、刊行物２記載の「チャック部」は、本件発明１〜６の「チャック」に相当すると認められるが、これらの「挟持部」は、「複数に分割されたもの」ではあっても、「側面に切欠部を形成した挟持部」ではない。　　　
　また、刊行物３記載の「支持指」は、本件発明１〜６の「挟持部」に相当すると認められるが、該「支持指」は、「複数に分割されたもの」ではあっても、「側面に切欠部を形成した挟持部」ではない。
　同様に、刊行物４記載の「チャック」、刊行物５記載の「コレットチャック」は、本件発明１〜６の「チャック」に相当すると認められるが、これらの「挟持部」も、「複数に分割されたもの」ではあっても、「側面に切欠部を形成した挟持部」ではない。
　　　　　　
　一方、本件発明１〜６は、挟持部の側面に切欠部が設けられ、その切欠部が管状体との間の逃げ部となるから、光ファイバー保持力に自由度が得られ、温度変化があった場合でも、光ファイバーの保持力の低下がなく、常に安定した保持状態が得られる、という効果を奏すると認められる。
　したがって、本件発明１、２が、刊行物１又は２に記載された発明であるということができず、また、本件発明１〜６が刊行物１、３〜５に記載された発明から当業者が容易に発明をすることができたものであるということができない。
　　　
４．むすび
　以上のとおりであるから、特許異議申立ての理由及び証拠によっては、訂正後の本件請求項１〜６に係る発明の特許を取り消すべき理由を発見しない。
　よって、結論のとおり決定する。
【異議決定日】
平成１３年８月２８日（２００１．８．２８）
【訂正の要旨】
　（ｉ）訂正事項ａ
　特許請求の範囲の請求項１に係る記載
「【請求項１】　複数に分割された挟持部を有し、その挟持部の端部外周に傾斜部が形成された管状のチャックと、
　そのチャックの挟持部に嵌合することにより、挟持部を径方向内側に押圧する管状体と、
　前記チャックの挟持部と管状体が嵌合する方向に常に弾性付勢する弾性体を備え、
　前記チャックの挟持部の間に光ファイバー素線を通し、前記弾性体を弾性変形させ、チャックに対して管状体を相対的に移動してチャックの前記傾斜部を管状体の開口端に当接することにより、挟持部を径方向内側に押圧して光ファイバー素線を弾性的に挟持して、その挟持状態を前記弾性体によって維持する構成になっていることを特徴とする線状導光体の保持装置。」を、
「【請求項１】　複数に分割され
て側面に切欠部を形成した
　そのチャックの挟持部に嵌合することにより、挟持部を径方向内側に押圧する管状体と、
　前記チャックの挟持部と管状体が嵌合する方向に常に弾性付勢する弾性体を備え、
　前記チャックの挟持部の間に光ファイバー素線を通し、前記弾性体を弾性変形させ、チャックに対して管状体を相対的に移動してチャックの前記傾斜部を管状体の開口端に当接することにより、挟持部を径方向内側に押圧して光ファイバー素線を弾性的に挟持して、その挟持状態を前記弾性体によって維持する構成になっていることを特徴とする線状導光体の保持装置。」と訂正します。
　（ｉｉ）訂正事項ｂ
　特許掲載公報第２頁右欄２１行の「分割された挟持部」を「分割され
て側面に切欠部を形成した
（５４）【発明の名称】
線状導光体の保持装置
（５７）【特許請求の範囲】
　【請求項１】　複数に分割されて側面に切欠部を形成した挟持部を有し、その挟持部の端部外周に傾斜部が形成された管状のチャックと、
　そのチャックの挟持部に嵌合することにより、挟持部を径方向内側に押圧する管状体と、
　前記チャックの挟持部と管状体が嵌合する方向に常に弾性付勢する弾性体を備え、
　前記チャックの挟持部の間に光ファイバー素線を通し、前記弾性体を弾性変形させ、チャックに対して管状体を相対的に移動してチャックの前記傾斜部を管状体の開口端に当接することにより、挟持部を径方向内側に押圧して光ファイバー素線を弾性的に挟持して、その挟持状態を前記弾性体によって維持する構成になっていることを特徴とする線状導光体の保持装置。
　【請求項２】　請求項１記載において、前記チャックの端部に切込み溝を形成することにより複数の挟持部が形成され、その挟持部の外周部に傾斜部が形成されていることを特徴とする線状導光体の保持装置。
　【請求項３】　請求項１記載において、前記チャックの挟持部と反対側の端部を、前記光ファイバー素線が挿通する透孔を形成した管状のファイバーガイド内に圧入・固定し、ファイバーガイド内に前記管状体と弾性体を順次挿入して、
　押圧体をファイバーガイド内に圧入することにより、前記弾性体を弾性変形せしめて、チャックの挟持部を管状体内に嵌合することを特徴とする線状導光体の保持装置。
　【請求項４】　請求項１記載において、前記管状体が、前記光ファイバー素線が挿通する透孔を形成した管状のファイバーガイドと一体的に設けられ、
　そのファイバーガイド内にチャックと弾性体が順次挿入され、
　押圧体をファイバーガイド内に圧入することにより、前記弾性体を弾性変形せしめて、チャックの挟持部を管状体内に嵌合することを特徴とする線状導光体の保持装置。
　【請求項５】　請求項３または４記載において、前記弾性体がコイルばねからなり、所定の長さを有して弾性体の内側に挿入される押込部が前記押圧体に設けられていることを特徴とする線状導光体の保持装置。
　【請求項６】　請求項１記載において、前記弾性体、管状体ならびにチャックを、前記光ファイバー素線が挿通する透孔を形成した管状のファイバーガイド内に順次挿入して、
　押圧体をファイバーガイド内に圧入することにより、前記弾性体を弾性変形せしめて、チャックの挟持部を管状体内に嵌合することを特徴とする線状導光体の保持装置。
【発明の詳細な説明】
　【０００１】
　【発明の属する技術分野】
　本発明は、例えば光コネクタなどの線状導光体の保持装置に係り、特に光ファイバー素線を弾性的に保持するタイプの保持装置に関するものである。
　【０００２】
　【従来の技術】
　光ファイバーなどの線状導光体には、例えば石英ガラス、多成分系ガラスあるいは透明な合成樹脂などで構成されたファイバー素線が用いられ、この素線は一般に極めて細く折損し易いから、可撓性を有する合成樹脂製の被覆部で保護されている。この線状導光体で光伝送路を形成する場合、線状導光体の端部にコネクタなどの保持装置が取り付けられ、線状導光体の保護と光軸の位置決めを行なっている。　　　【０００３】
　従来より線状導光体の保持装置として、例えば接着剤による固定、または機械的なかしめによる固定など諸種の構造ならびに方法が提案されている。図１４は接着剤を用いた線状導光体の保持装置を示す図で、光ファイバー素線１００と被覆部１０１で構成されている光ファイバー１０２が、金属製のフェルール１０３内に挿通され、光ファイバー１０２とフェルール１０３の間に接着剤１０４が充填されている。そしてこの接着剤１０４の硬化により、光ファイバー１０２がフェルール１０３内に位置決め、固定されている。
　【０００４】
　図１５ならびに図１６は、機械的なかしめによる固定方法を説明するための図である。この図に示すように光ファイバー１０２をそれより径大の金属製管状体１０５内に挿通し、これを上下動可能な治具１０６ａ、１０６ｂ内に入れて管状体１０５を上下方向からかしめることにより、管状体１０５で光ファイバー１０２を一定の力で保持する方法である。
　【０００５】
　【発明が解決しようとする課題】
　ところが前述の接着剤で固定する方法では、光ファイバーのバッファ（シリコーン樹脂）を完全に除去する必要があり、その除去に時間がかかる。また光ファイバー（特にガラスの場合）と接着剤は熱膨脹係数の違いにより完全保持が難しい。
　【０００６】
　一方、圧着により機械的に保持する構造の場合、金属製管状体をかしめるときに光ファイバーに直接大きなストレスがかかる。また、組み立て後に光ファイバーが折れたり、抜けが発生する場合があり、さらに部品寸法やかしめ力を厳密に管理しなければならないなどの問題点を有している。
　【０００７】
　本発明の目的は、このような従来技術の欠点を解消し、温度変化など周囲の環境が変わっても、また多少部品寸法にバラツキがあっても、無理な応力が発生することがなく、組み立てが容易で生産性が良好であり、テスト後に分解しても再び組み立てることが可能な線状導光体の保持装置を提供することにある。
　【０００８】
　【課題を解決するための手段】
　この目的を達成するため、本発明は、
　複数に分割されて側面に切欠部を形成した挟持部を有し、その挟持部の端部外周に傾斜部が形成された管状のチャックと、
　そのチャックの挟持部に嵌合することにより、挟持部を径方向内側に押圧する管状体と、
　前記チャックの挟持部と管状体が嵌合する方向に常に弾性付勢する、例えばコイルばねなどからなる弾性体を備えている。
　【０００９】
　そして前記チャックの挟持部の間に光ファイバー素線を通し、前記弾性体を弾性変形させ、チャックに対して管状体を相対的に移動してチャックの前記傾斜部を管状体の開口端に当接することにより、挟持部を径方向内側に押圧して光ファイバー素線を弾性的に挟持して、その挟持状態を前記弾性体によって維持する構成になっていることを特徴とするものである。
　【００１０】
　【発明の実施の形態】
　本発明はこのように、チャックの挟持部の間に光ファイバー素線を通し、弾性体を弾性変形させ、チャックに対して管状体を相対的に移動してチャックの挟持部を管状体内に嵌合することにより、挟持部を径方向内側に押圧して光ファイバー素線を弾性的に挟持して、その挟持状態を弾性体によって維持する構成になっている。
　【００１１】
　従来の接着剤や機械的なかしめによる手段では光ファイバー素線に直接にストレスが加わるが、本発明の保持装置はチャック自体には保持力はなく、管状体を介して弾性体の押圧力（弾発力）が挟持部に作用して光ファイバー素線を弾性的に挟持した構成になっているから、光ファイバー素線にストレスが加わり難い。そして従来の直接的な固定に比べて、光ファイバー素線との熱膨脹係数の違いや寸法的なバラツキに起因する光ファイバー素線の内部応力の発生が殆どなく、そのため光特性に支障をきたしたり、光ファイバー素線の耐用寿命が短くなるようなことがない。
　【００１２】
　また線状導光体を固定した後にテストを行い、それが不良品と判断された場合、管状体をチャックから外し良品の部品と交換して、再び組み立てることができ、そのため生産歩留りが良く、非常に経済である。
　【００１３】
　次に本発明の実施の形態を図に基づいて説明する。図１〜図４は第１の実施の形態を説明するための図で、図１は組み立てが完了した線状導光体保持装置の断面図、図２は図１Ｘ−Ｘ線上の拡大断面図、図３は線状導光体を挿入する前の保持装置の断面図、図４はチャックの側面図、図５ならびに図６は保持装置の保持機構を説明するための一部拡大断面図である。
　【００１４】
　この実施の形態に係る線状導光体の保持装置は図１に示すように、ファイバーガイド（フェルール）１と、チャック２と、管状体３と、コイルばねからなる弾性体４と、押圧体５からなり、これらは金属若しくは硬質合成樹脂などによって構成されている。
　【００１５】
　前記ファイバーガイド１は管状体からなりその先端中央部には図３に示すように光ファイバー素線６とほぼ同寸の透孔７が形成され、その後方の内側にチャック２の先端部が圧入・固定され、さらにその後方に管状体３や弾性体４を収納する収納部８が形成されている。
　【００１６】
　前記チャック２はほぼパイプ状をしており図４に示されているように、図面に向かって左側部分には軸方向に沿って切込み溝９が設けられ、これにより対向した複数（本実施の形態では２本）の断面形状がほぼ半円状で、対向した面がフラットな（図２参照）挟持部１０，１０が形成され、この挟持部１０，１０の部分は中実状となり、それより前方が中空状でかつ管状になっている。挟持部１０，１０の後端外周に傾斜部１１が形成されている。
　【００１７】
　図６に示すように管状体３の内径Ｄ１は挟持部１０の外径Ｄ２より小さく設計されている（Ｄ１＜Ｄ２）。押圧体５の弾性体４側に押込部１２が設けられ、この押込部１２の外径は弾性体４の内径より若干径小に設計されて弾性体４の内側に挿入され、押込み時に弾性体４が曲がらないように矯正するため所定の長さを有している。
　【００１８】
　次にこの保持装置の組み立て方法について説明する。まず最初に図３に示すようにチャック２の先端部をファイバーガイド１内に圧入して固定し、次に管状体３と弾性体４を順次ファイバーガイド１の収納部８に挿入して、チャック２の後端部に形成された傾斜部１１を管状体３の開口部と対向させる。この状態では図５に示すように、チャック２に設けられている挟持部１０，１０は互いに十分離れて、光ファイバー素線６が挿通可能な状態になっている。
　【００１９】
　次いでファイバーガイド１の収納部８に押圧体５を挿入し、押圧体５の押込部１２を弾性体４の中空部に嵌入する。この状態が図３に示されている。
　【００２０】
　ついで被覆部１３を除去して露出した光ファイバー素線６を図１に示すように、押圧体５の後方から挿入し、弾性体４、管状体３ならびにチャック２の中空部を順次貫通して、ファイバーガイド１の透孔７から前方へ所定の長さ突出せしめる。この状態では前述のように挟持部１０，１０間は十分離れているため、光ファイバー素線６は両者の間をスムーズに挿通することができる。
　【００２１】
　しかる後、押圧体５を図１ならびに図６に示すように矢印Ａ側に向けて押し込むことにより、それの押込み部１２が弾性体４を圧縮し、その圧縮力（弾発力）で管状体３が矢印Ａ方向に移動する。この移動で傾斜部１１の案内により挟持部１０，１０の先端部が管状体３の内側に入り込みながら内側にしぼめられ、その際に生じる挟持部１０，１０の押圧力Ｆにより光ファイバー素線６が挟持部１０，１０の間で弾性的に挟持される。この状態が図６に示されている。
　【００２２】
　このようにして光ファイバー素線６を保持した後、ファイバーガイド１の前面から突出している光ファイバー素線６をファイバーガイド１の前面に沿わせてカッティングまたは研磨することにより、組み立てを完了する。
　【００２３】
　図７は、本発明の第２の実施の形態に係る保持装置の断面図である。前記第１の実施の形態では、チャック２がファイバーガイド１の透孔６と管状体３の間に配置されているが、第２の実施の形態では管状体３がファイバーガイド１に一体に連結され、管状体３と弾性体４の間にチャック２が配置されている。チャック２の管状体３と対向する側に切り込み溝９により複数の挟持部１０，１０が形成され、挟持部１０，１０の外周に傾斜部１１が設けられている。
　【００２４】
　また本実施の形態ではチャック２の挟持部１０，１０の先端部に管状体３の内径より小径の小径部１６が設けれ、管状体３の内側に挿入されている。さらに押圧体５の後端には引抜き用のフランジ部１７が設けられており、テスト後に再組み立てする際に押圧体５の引抜きに使用される。なおこの引抜き用のフランジ部１７は他の実施の形態においても設けられる。
　【００２５】
　図８は、本発明の第３の実施の形態に係る保持装置の断面図である。前記第２の実施の形態では、チャック２の後端と押圧体５の押込部１２の間に弾性体４を介在したが、第３の実施の形態ではチャック２の先端部側または中間部に段状の受け部１４が設けられ、この押圧体５の押込部１２と受け部１４の間に弾性体４が介在されている。
　【００２６】
　図９は、本発明の第４の実施の形態に係る保持装置の断面図である。前記第２の実施の形態では、チャック２の後端と押圧体５の押込部１２の間にコイルばねからなる弾性体４を介在したが、第４の実施の形態では図１０に示すように中央に孔１５を形成した板ばねからなり、孔１５を中心にして湾曲した弾性体４を、チャック２の後端近くに設けた受け部１４と押圧体５の押込部１２の間に介在した構造になっている。
　【００２７】
　前記図７ないし図９に示す各実施の形態では、ファイバーガイド１と管状体３を別体に設けたが、管状体３をファイバーガイド１と一体形成することも可能であり、ファイバーガイド１と管状体３の別体物を一体にした構成ならびに管状体３をファイバーガイド１と一体に形成した構成を含めて、本明細書では管状体がファイバーガイドと一体的に設けられていると記述している。
　【００２８】
　図１１は、本発明の第５の実施の形態に係る保持装置の断面図である。図７に示す第２の実施の形態では、チャック２の後端と押圧体５の押込部１２の間に弾性体４を介在したが、第５の実施の形態ではファイバーガイド１の内側の途中に受け部１４を設け、管状体３の先端部に押込部１２を形成し、この押込部１２と受け部１４の間に弾性体４を介在した構造になっている。
　【００２９】
　前記第２ないし第５の実施の形態に係る保持装置における光ファイバー素線６の保持機構は、第１の実施の形態に係るものと基本的に同じであるから、それらの説明は省略する。
　【００３０】
　図１２は、本発明の実施の形態に係る好適なチャックの一部拡大正面図、図１３はそのチャックの一部拡大側面図である。チャック２の先端部に切り込み溝１０を形成することにより一対の挟持部１０，１０が設けられるが、その挟持部１０，１０の側面に切欠部２０，２０が形成されて、切欠部２０，２０間の間隔Ａをチャック２の直径Ｂより短くする（Ａ＜Ｂ）ことにより、スリット間隔Ｃを有する挟持部１０，１０の挟持機能を確実なものとしている。
　【００３１】
　【発明の効果】
　本発明はこのように、チャックの挟持部の間に光ファイバー素線を通し、弾性体を弾性変形させ、チャックに対して管状体を相対的に移動してチャックの挟持部を管状体内に嵌合することにより、挟持部を径方向内側に押圧して光ファイバー素線を弾性的に挟持して、その挟持状態を弾性体によって維持する構成になっている。
　【００３２】
　従来の接着剤や機械的なかしめによる手段では光ファイバー素線に直接にストレスが加わるが、本発明の保持装置はチャック自体には保持力はなく、管状体を介して弾性体の押圧力（弾発力）が挟持部に作用して光ファイバー素線を弾性的に挟持した構成になっているから、光ファイバー素線にストレスが加わり難い。そして従来の直接的な固定に比べて、光ファイバー素線との熱膨脹係数の違いや寸法的なバラツキに起因する光ファイバー素線の内部応力の発生が殆どなく、そのため光特性に支障をきたしたり、光ファイバー素線の耐用寿命が短くなるようなことがない。
　【００３３】
　また線状導光体を固定した後にテストを行い、それが不良品と判断された場合、管状体をチャックから外し良品の部品と交換して、再び組み立てることができ、そのため生産歩留りが良く、非常に経済であるなどの特長を有している。
【図面の簡単な説明】
　【図１】
　本発明の第１の実施の形態に係る保持装置の組み立てが完了した状態を示す断面図である。
　【図２】
　図１Ｘ−Ｘ線上の断面図である。
　【図３】
　その保持装置の線状導光体を挿入する前の状態を示す断面図である。
　【図４】
　その保持装置に用いられるチャックの側面図である。
　【図５】
　その保持装置の保持機能を説明するための一部拡大断面図である。
　【図６】
　その保持装置の保持機能を説明するための一部拡大断面図である。
　【図７】
　本発明の第２の実施の形態に係る保持装置の断面図である。
　【図８】
　本発明の第３の実施の形態に係る保持装置の断面図である。
　【図９】
　本発明の第４の実施の形態に係る保持装置の断面図である。
　【図１０】
　その保持装置に用いる弾性体の湾曲前の平面図である。
　【図１１】
　本発明の第５の実施の形態に係る保持装置の断面図である。
　【図１２】
　本発明の実施の形態に係るチャックの一部拡大正面図である。
　【図１３】
　そのチャックの一部拡大側面図である。
　【図１４】
　従来の保持装置の断面図である。
　【図１５】
　従来の他の保持装置で光ファイバーを保持する工程を説明するための一部断面図である。
　【図１６】
　その保持装置で光ファイバーを保持した状態を示す一部断面図である。
　【符号の説明】
　１　ファイバーガイド（フェルール）
　２　チャック
　３　管状体
　４　弾性体
　５　押圧体
　６　光ファイバー素線
　７　透孔
　８　収納部
　９　切込み溝
１０　挟持部
１１　傾斜部
１２　押込部
１３　被覆部
１４　受け部
１５　孔
１６　小径部
１７　フランジ部